(57)【要約】【課題】　本発明の実施形態は情報の配布地点に関係なく、条件付きアクセス方式が適用された後配布された情報の複製を防止する。【解決手段】　本明細書で説明された解決手段は、実装が非常に簡単で"カーブハイ"解法のように効果が優れている。"カーブハイ"解法は、従来の技術のアクセス方法とは違って相対的に少ないシステム資源を以って最小限のセキュリティレベルから非常に高いセキュリティレベルまでの広い領域のセキュリティレベルを提供する。【選択図】図２
2004007772.tif 000002
【特許請求の範囲】
【請求項１】
　リンクを通じてデスクランブラモジュールから受信器に流れる信号を複製防止する方法において、
　（ａ）複製防止データ信号を発生する発生段階と、
　（ｂ）リンクを通じて前記受信器からデジタル信号を受信する段階であって、前記デジタル信号はスクランブルされた信号を含む受信段階と、
　（ｃ）前記スクランブルされた信号をデスクランブルしてデスクランブルされた信号を得るデスクランブル段階と、
　（ｄ）前記デスクランブルされた信号を、前記複製防止データ信号を用いて複製防止された信号に変換する変換段階と、
　（ｅ）前記複製防止された信号を前記リンクを通じて前記受信器に伝送する伝送段階と
を具備することを特徴とするリンクを通じてデスクランブラモジュールから受信器に流れる信号を複製防止する方法。
【請求項２】
　前記複製防止データ信号を発生する発生段階（ａ）は、受信器内で前記複製防止データ信号を発生させる段階をさらに具備することを特徴とする請求項１に記載のリンクを通じてデスクランブラモジュールから受信器に流れる信号を複製防止する方法。
【請求項３】
　前記複製防止データ信号を前記リンクを通じて前記受信器から前記デスクランブラモジュールに伝送する伝送段階をさらに具備することを特徴とする請求項２に記載のリンクを通じてデスクランブラモジュールから受信器に流れる信号を複製防止する方法。
【請求項４】
　前記段階（ｂ）の前記デジタル信号は、エンコーディング及びスクランブルされたことを特徴とする請求項１に記載のリンクを通じてデスクランブラモジュールから受信器に流れる信号を複製防止する方法。
【請求項５】
　前記デスクランブラモジュールはPCMIAカードを具備することを特徴とする請求項１に記載のリンクを通じてデスクランブラモジュールから受信器に流れる信号を複製防止する方法。
【請求項６】
　前記リンクはデジタル信号を運ぶように構成された一つまたは二つ以上の通信媒体を具備することを特徴とする請求項１に記載のリンクを通じてデスクランブラモジュールから受信器に流れる信号を複製防止する方法。
【請求項７】
　前記受信器及び前記デスクランブラモジュールは、前記リンクを通じて通信するためにIS６７９に互換されるインタフェースを用いることを特徴とする請求項１に記載のリンクを通じてデスクランブラモジュールから受信器に流れる信号を複製防止する方法。
【請求項８】
　前記複製防止された信号を前記複製防止データ信号を用いて前記受信器内で前記デジタル信号に再変換する段階（ｆ）をさらに具備することを特徴とする請求項１に記載のリンクを通じてデスクランブラモジュールから受信器に流れる信号を複製防止する方法。
【請求項９】
　再変換する前記段階（ｆ）以後に前記受信器内の前記デジタル信号をデコーディングする段階（ｇ）をさらに具備することを特徴とする請求項８に記載のリンクを通じてデスクランブラモジュールから受信器に流れる信号を複製防止する方法。
【発明の詳細な説明】
【技術分野】
【０００１】
　本発明は、大衆消費電子製品媒体の複製防止に係り、より詳細には大衆消費電子製品で使用される音声-画像信号の複製防止のための方法及び装置に関する。
【背景技術】
【０００２】
　大衆消費電子製品のデジタル技術は、非常に急激に発展した結果、デジタル大衆消費電子技術製品中多数が以前のアナログ生産品に比べて非常に優れた性能を有している。しかし、デジタル貯蔵装置の有用性と結び付ければ、音声-画像情報をデジタルフォーマットで配布することは、デジタル音声-画像商品、特にエンターテイメント産業における音声-画像商品の著作権侵害についての懸念を募らせることになる。このような懸念に対して、米国動映像協会(MPAA、Motion Picture Association of America)は購入者が単一コピーを獲得していくつかの違法コピーを作って配布することを防止するために、デジタルビデオディスク(DVD、Digital Video Disk)で配布される動映像の複製防止法を提案した。
【０００３】
　しかし、このような懸念は、デジタルビデオディスクDVDに配布される音声-画像情報だけに限定されてはいない。例えば、ケーブルテレビ及び空中波テレビを含んで多くの他の媒体にも著作権侵害に対する類似した心配が存在する。
【０００４】
　ケーブルテレビ事業者らは、自らの伝送物に対して複製防止することに関心がある。複製防止のための一つの解決法は、彼らの伝送物の配布を制御する条件付きアクセスを使用することである。条件付きアクセスとは、需要者地点で情報の配布を制御する方法である。媒体の配布を制御することにおいて条件付きアクセス及び複製防止法間の最大の相違点は、条件付きアクセスは特定の配布サイトまたは配布ノードにだけ適用されることに対して、複製防止法は配布サイトまたは配布ノード以上でも適用され続けるということにある。
【０００５】
　音声-画像情報の複製を防止するための他の方法は、音声-画像信号を暗号化し、この音声-画像信号を受信する受信器に復号化する機能を追加することである。このような方法の一つ問題点は、受信器が、例えば公開鍵／秘密鍵暗号化／復号化の場合のように、このような復号化を遂行するために時々非常に複雑な機能が必要であることにある。
【０００６】
　媒体の複製防止のために提案される他の方法は、データ伝送討議グループ(DTDG、Data Transmission Discussion Group)のセクション１３９４技術の複製防止法のための下部委員会の複製防止グループ(CPTWG、Copy Protection Working Group)によって提供された。セクション１３９４技術とは、大衆消費電子製品に共通に適用可能なプロトコルの１００Mbit/secまたは４００Mbit/secバスプロトコルを意味する。
【０００７】
　さらに他の提案は、全米再生性保安標準委員会(NRSSC、National Renewable Security Standards Committee)によって開発され、消去可能な条件付きアクセスセキュリティのための二つのインタフェースを規定する米国電子工業会(EIA、Electronics Industry Associates)セキュリティ(IS６７９)の暫定的標準規格である。二つのインタフェースは"スマートカード"及びPCMCIAカードとも呼ばれる。
【０００８】
　図１は従来技術に係る音声-画像信号複製防止装置１００を示すが、従来技術に係る複製防止装置１００は、IS６７９インタフェースを通じて受信器に連結された交換可能なセキュリティモジュールを使用する。AVS1乃至AVSNに識別される一つまたは二つ以上の音声-画像信号は典型的に６Mbits/sec乃至１００Mbits/sec範囲内の速度で送信器１０２に提供される。音声-画像信号AVS1、AVS2乃至AVSNは各々エンコーダE1、E2乃至ENによってエンコーディングされ、その結果音声信号AS1乃至ASN及び画像信号VS1、VS2乃至VSNに分れる。エンコーディング方法中には例えばMPEGエンコーディング技法がある。
【０００９】
　次に、音声信号AS1、AS2乃至ASN及び画像信号VS1、VS2乃至VSNは各々スクランブラS1、S2乃至SNによって暗号化される。この際用いられる暗号化技法の一例は、広く利用可能ないろいろな種類のキー暗号化技法である。その後、暗号化された音声信号AS1、AS2乃至ASN及び画像信号VS1、VS2乃至VSNは、結合器１０４によって単一音声-画像信号で結合される。結合器１０４は、単一音声-画像信号を提供するために必要なマルチプレクサ及び他のプロセッサーのような数個のプロセッサーを含むことができる。
【００１０】
　次に、単一音声-画像信号はリンク１０８を通じて受信器１０６に提供される。リンク１０８は、このような単一音声-画像信号を送信器１０２及び受信器１０６間で運ぶように構成された、一つまたは二つ以上の通信媒体及び/またはシステム及び支援装置を含むことができる。リンク１０８の例中にはエンコーディングされたデータを送信するための電話システム、ケーブルテレビシステム、空中波テレビシステム(直接式または間接式)、衛星放送システム(直接式または間接式)、一つまたは二つ以上のコンピューターネットワーク及び/またはバス、インターネット、イントラネット及び他のソフトウェア、ハードウェア及び他の放送システム及び放送に関する装置が含まれうるが、リンク１０８で用いられる例がこれに限定されることではない。
【００１１】
　単一音声-画像信号を受信した後、受信器１０６は音声-画像信号をインタフェース１１２を通じて交換可能なセキュリティモジュール１１０に伝送する。IS６７９応用法（application）では、交換可能なセキュリティモジュール１１０は、IS６７９に互換されるインタフェース(１１２)を通じて受信器１０６に通信可能に連結されたスマートカードまたはPCMCIAカードである。しかし、交換可能なセキュリティモジュール１１０を受信器１０６に連結するために他種のインタフェースも使われうる。交換可能なセキュリティモジュール１１０は、スクランブラS1、S2乃至SNによりエンコーディングされた音声信号AS1、AS2乃至ASN及び画像信号VS1、VS2乃至VSNに加わった暗号を除去するデスクランブラ１１４を含む。その後、デスクランブルされた単一音声-画像信号は受信器１０６に戻され、受信器１０６内に含まれたデコーダ１１６によりデコーディングされる。すると、デスクランブルされデコーディングされた音声-画像信号はディスプレー１１８に提供されてディスプレーされたり他の方法で表示される。
【００１２】
　このような方法を使用する長所中一つは、デスクランブル作業の全てが交換可能なセキュリティモジュール１１０内で遂行されるというところにある。デスクランブル作業の全てが交換可能なセキュリティモジュール１１０内で遂行されるので、生産者は特定のデスクランブルが要らない標準受信器を提供できる。IS６７９応用法では、交換可能なセキュリティモジュールはスマートカードまたはPCMCIAカードの形式を有することができるので"個性化された"セキュリティを提供する。
【発明の開示】
【発明が解決しようとする課題】
【００１３】
　このような方法を使用する長所にもかかわらず、このような方法に特有の短所や限界がないわけではない。このような方法の短所中一つは、インタフェース１１２がアクセス可能な場合、デスクランブルされた音声-画像信号は他の位置に再配布されてデコーディングされ、ディスプレーされて複製防止を無駄にする恐れがあるということである。例えば、図１に示したような交換可能なセキュリティモジュール１１０を使用するDVDプレーヤーの場合、もしインタフェース１１２がアクセス可能であれば、デスクランブルされた(複製防止されない)音声-画像信号はいろいろな受信器及びディスプレー装置に配布可能であり、ひいては貯蔵され再配布可能である。
【００１４】
　IS６７９応用法における音声-画像信号を複製防止すべき必要性及び先行技術に存在するいろいろな限界に基づいて、先行技術に関した問題点を解決したIS６７９応用法における音声-画像信号を複製防止するための新たな方法が求められている。
【課題を解決するための手段】
【００１５】
　一般に、本発明の実施形態は情報の配布地点に関係なく、条件付きアクセス方式が適用された後配布された情報の複製を防止する。本明細書で説明する解決手段は、実行が非常に簡単で当業界に"カーブハイ（Curb high）"法で知られた解法のように効果が優れている。"カーブハイ"解法は従来技術のアクセス方法とは違って、相対的に少ないシステム資源を以って最小限のセキュリティレベルから非常に高いセキュリティレベルまでの広い領域のセキュリティレベルを提供する。
【００１６】
　本発明の望ましい実施形態に係る音声-画像情報を示すデジタル信号を複製防止する方法は次の段階を含む。その段階は、(a)このデジタル信号をエンコーディングしてエンコーディングされた信号を得る段階、(b)複製防止関数を用いてエンコーディングされた信号を複製防止された信号に変換する段階で、複製防止関数は複製防止データを示すデータ信号を用いることを特徴とする段階、及び(c)複製防止された信号をスクランブルしてスクランブルされた信号を得る段階である。
【００１７】
　本発明の望ましい実施形態による、スクランブルされた信号及び複製防止データを示す複製防止データ信号から音声-画像信号を復元するためのシステムは、受信器及びリンクを通じて相互連結されたデスクランブラモジュールを具備する。
【００１８】
　このデスクランブラモジュールは次を含む。
　(１)リンクを通じて受信器と通信するための第１通信インタフェースと、(２)リンクを通じて受信器から入力されかつスクランブルされた信号をデスクランブルするデスクランブラ。
　受信器は次を含む。
　(１)リンクを通じてデスクランブラと通信するための第２通信インタフェース、 (２)(i)デジタル信号から前記データ信号を除去し、このデータ信号により示される複製防止データをメモリ装置内に貯蔵し、(ii)デジタル信号から前記スクランブルされた信号を抽出し、スクランブルされた信号をリンクを通じてデスクランブラに供給するためのプロセッサーと、(３)複製防止逆関数を用いてデスクランブラから入力されかつ複製防止された信号を再び前記音声-画像信号に逆変換する再変換器であって、このような逆関数は貯蔵された前記複製防止データを用いることを特徴とする再変換器。
【００１９】
　このような本発明の望ましい実施形態で、デスクランブラモジュールでリンクを通じて受信器に流れる信号は複製されないように保護される。
【発明を実施するための最良の形態】
【００２０】
　新規であると見なされる本発明の前述された及びその他の特徴、構成、長所、目的は添付した特許請求の範囲で特定的に提示されるはずである。本発明は、追加目的及び長所などと共に本発明の構成及び動作方法全てに関して、以後の詳細な説明及び添付の図面によって完全に理解されるはずである。本明細書に含まれた各々の図面は本発明の実施形態を正確に描写していると考えてはならず、単に目的を説明するために示したものであって、添付した発明の詳細な説明と共に解釈されるべきである。
【００２１】
　以下提供される発明の詳細な説明は、当業者皆が本発明を実現し使用できるようにするために提供するものであって、本発明を考案した発明者によって現在まで最も良いと考えられる実施形態を説明する。しかし、本発明の固有の技術的思想が本明細書で記載されているので、当業界の技術者が本発明を多様に変形することは非常に容易である思われる。
【００２２】
　図２は、本発明の望ましい実施形態に係る交換可能なセキュリティモジュールを使用して音声-画像信号を複製防止するための装置２００を示す図面である。AVS1、AVS2乃至AVSNで表示される一つまたは二つ以上の音声-画像信号は、典型的に６Mbits/sec乃至１００Mbits/sec範囲内の速度で送信器２０２に提供される。音声-画像信号AVS1、AVS2乃至AVSNは各々、例えばMPEGエンコーディング技法を用いて送信器２０２内のエンコーダE1、E2乃至ENによってエンコーディングされ、音声信号AS1、AS2乃至ASN及び画像信号VS1、VS2乃至VSNに分れる。
【００２３】
　関数モジュールF1、F2乃至FNの各々によって音声信号AS1、AS2乃至ASN及び画像信号VS1、VS2乃至VSNに特定関数が印加されて複製防止機能を追加する。複製防止データ(CPDATA、copy protection data)が送信器２０２に提供され、関数モジュールF1、F2乃至FNによって音声信号AS1、AS2乃至ASN及び画像信号VS1、VS2乃至VSNにこの関数を適用するのに使われる。
【００２４】
　関数モジュールF1、F2乃至FNによって処理された後、音声信号AS1、AS2乃至ASN及び画像信号VS1、VS2乃至VSNはスクランブラS1、S2乃至SNの各々によって暗号化されるが、スクランブラS1、S2乃至SNは使用可能な多様なキー暗号技法及び複製防止データCPDATAのコピーを用いる。例えば、暗号キー情報のようにスクランブラS1、S2乃至SNで要求される暗号情報は条件付きアクセス管理システム(図示せず)によって提供されるが、条件付きアクセス管理システムは典型的には送信器２０２内に含まれるが、他の所に位置する場合もある。
【００２５】
　暗号化された音声信号AS1、AS2乃至ASN及び画像信号VS1、VS2乃至VSN及び複製防止データCPDATAは、結合器２０４によって結合されて単一音声-画像信号を提供する。したがって、複製防止データCPDATAは単一音声-画像信号内に含まれる。結合器２０４は単一音声-画像信号を提供するために必要なマルチプレクサ及び他のプロセッサーのような数個のプロセッサーを含むことができる。
【００２６】
　すると、単一音声-画像信号はリンク２０８を通じて受信器２０６に提供される。図１に示したリンク１０８のように、リンク２０８は、このような単一音声-画像信号を送信器２０２及び受信器２０６間で運ぶように構成された一つまたは二つ以上の通信媒体またはシステム（またはそれら双方）及び支援装置を含むことができる。リンク２０８の例には、二つの地点間でエンコーディングされたデータを送信するための電話システム、ケーブルテレビシステム、空中波テレビシステム(直接式または間接式)、衛星放送システム(直接式または間接式)、一つまたは二つ以上のコンピューターネットワーク及び/またはバス、インターネット、イントラネット及び他のソフトウェア、ハードウェア及び他の放送システム及び放送に関した装置が含まれうるが、リンク２０８で使用される例がこれに限定されるわけではない。
【００２７】
　受信器２０６が単一音声-画像信号をリンク２０８を通じて受信した後、複製防止データCPDATAがプロセッサー２１０によって受信された音声-画像信号から除去される。リンク２０８上の音声-画像信号がパケット化された形式を有する応用分野では、プロセッサー２１０は受信された音声-画像信号から複製防止データCPDATAを含む一つまたは二つ以上のデータパケットを抽出して、抽出されたパケットをNULL値のような所定のデータを含むデータパケットに取り替える。例えば、複製防止データCPDATAを含むデータパケットは、プロセッサー２１０によって容易に識別されるようにする所定のデータパケット識別子を有することができる。
【００２８】
　前記のような過程が遂行になった後、単一音声-画像信号はインタフェース２１４を通じて交換可能なセキュリティモジュール２１２に提供される。IS６７９応用法では、交換可能なセキュリティモジュール２１２はIS６７９で互換されるインタフェース２１４を通じて受信器２０６に通信可能に連結されたスマートカードまたはPCMCIAカードである。交換可能なセキュリティモジュール２１２はスクランブラS1、S2乃至SNによりエンコーディングされた音声信号AS1、AS2乃至ASN及び画像信号VS1、VS2乃至VSNに加わった暗号を除去するデスクランブラ２１６を含む。
【００２９】
　その後、デスクランブルされた単一音声-画像信号はインタフェース２１４を通じて受信器２０６に戻される。したがって、交換可能なセキュリティモジュール２１２から受信器２０６に伝達されたデスクランブルされた音声-画像信号は、スクランブラS1、S2乃至SNにより提供された暗号は含んでいないが、相変らず関数モジュールF1、F2乃至FNにより印加された複製防止機能は含んでいる。
【００３０】
　すると、デスクランブルされた音声-画像信号は関数ブロックF-1に印加されるが、関数ブロックF-1は逆関数をF-1に印加して、プロセッサー２１０によって音声-画像信号から抽出された複製防止データCPDATAを用いて関数モジュールF1、F2乃至FNにより印加された複製防止機能を除去する。本発明の望ましい実施形態によれば、関数ブロックF-1は所定値を含むデータパケットの存在有無に基づいて逆関数F-1をデスクランブルされた音声-画像信号に印加する。例えば、関数ブロックF-1が所定値を含むデータパケットを識別すれば、所定値を有する次のデータパケットが識別されるまで後続データパケットに逆関数F-1を印加することにおいて、受信器２０６により維持された新たな複製防止データCPDATAが関数ブロックF-1により使われる。
【００３１】
　このような過程が遂行された後、デスクランブルされた音声-画像信号は受信器２０６内に含まれたデコーダ２１８によってデコーディングされる。すると、デスクランブルされデコーディングされた音声-画像信号は、ディスプレー２２０に提供されてディスプレーされたり他の方法で表示される。
【００３２】
　本発明の望ましい実施形態に係るこのような方法は、音声-信号を複製防止することにおいて従来の方法に比べていくつかの重要な長所を提供する。第一に、このような方法は図１を参照して説明された従来の技術に比べてさらに高いレベルのセキュリティを提供するが、その理由は交換可能なセキュリティモジュール２１２によって提供されたデスクランブルされた信号が関数モジュールF1、F2乃至FNにより提供された複製防止を含んでいるが、プロセッサー２１０により除去された複製防止データCPDATAを含んでいないからである。音声-画像信号で除去された後、複製防止データCPDATAは受信器２０６内で内部的に維持される。したがって、交換可能なセキュリティモジュール２１２により提供されたデスクランブルされた信号は、他の受信器及び/または貯蔵装置、ひいては関数ブロックF-1と同じ関数ブロックを含む装置によっても使われられないが、その理由はその装置が周期的に変わりうる複製防止データCPDATAにアクセスできないからである。
【００３３】
　さらに、このような複製防止方法は非常に高い自由度を有しており、受信器生産者が特定の部品またはアルゴリズムがなくても平均的な設計を続けるようにするが、その理由はプロセッサー２１０及び関数ブロックF-1が標準部品のように実装されうるからである。複製防止レベルを含む複製防止機能の機能性は、送信器２０２に提供される複製防止データCPDATAによって定義される。
【００３４】
　したがって、関数モジュールF1、F2乃至FNは排他的OR（XOR）演算のような相対的に簡単な関数を遂行することができる。簡単な関数を使用することの長所は、複雑な暗号化アルゴリズムを有している従来の技術に比べて関数F及びF-1を実行するために要求されるシステム資源が相対的に少なくて済むという点である。しかし、特定の応用分野で要求される複製防止レベルに基づいてさらに複雑な関数が使われる場合もある。MPEG２エンコーディングの場合には、６４ビット乃至１０００ビットのXOR関数を遂行するために１８４バイトの単一データパケットが使われうる。さらに、複製防止データCPDATAは、特定応用分野の要求事項を満たすために必要なだけの頻度数を有して変更されうる。
【００３５】
　本発明の望ましい第２実施形態によれば、複製防止データCPDATAは音声-画像信号内に含まれず、その代りに受信器によって内部的に生成されて交換可能なセキュリティモジュールに提供される。図３はこのような方法を示す装置３００を示すブロック図である。受信器３０２がIS６７９に互換可能なインタフェース３０６を通じて交換可能なセキュリティモジュール３０４に提供される音声-画像信号AVSを受信する。
【００３６】
　交換可能なセキュリティモジュールは、音声-画像信号AVSをデスクランブルするためのデスクランブラ３０８を含む。すると、音声-画像信号AVSは関数モジュールFに提供され、関数モジュールFは複製防止データを用いて音声-画像信号AVSに関数を印加して処理された音声-画像信号AVSを発生させることによって音声-画像信号を複製防止する。複製防止データCPDATAは、受信器３０２によって無作為に生成されて交換可能なセキュリティモジュール３０２に提供される。
【００３７】
　処理された音声-画像信号AVSはインタフェース３０６を通じて受信器３０２に再び提供され、関数モジュールF-1が複製防止データCPDATAを用いて関数を印加することによって、関数モジュールFにより事前印加された複製防止を除去する。すると、音声-画像信号AVSデータはデコーダDによりデコーディングされて、ディスプレー３１０に提供されてディスプレーされたり他の方法で表示される。このような方法では、複製防止データCPDATAを音声-画像信号AVS内に含める必要がない。複製防止データCPDATAは無作為に生成されうるので、受信器３０２内に特定の部品またはアルゴリズムを使用する必要性も共になくなる。
【００３８】
　たとえ本発明の実施形態がIS６７９に互換されるインタフェース応用分野のための複製防止機能に関して説明されたとしても、本明細書に説明された方法は他の音声-画像装置にも適用できる。さらに、本明細書で説明された方法は音声-画像信号でない他のタイプの信号及び情報にもやはり適用できる。
【００３９】
　前述された多様な部品は個別ハードウェア部品、一つまたは二つ以上のソフトウェア処理、または個別ハードウェア部品及び一つまたは二つ以上のソフトウェア処理の結合形態で実装されることができる。この点に関して、図４は本発明の望ましい実施形態が実装されうるコンピュータシステム４００のブロック図である。
【００４０】
　コンピュータシステム４００は、バス４０２または情報を伝送するための他の通信メカニズム、及び情報の処理のためにバス４０２と連結されているプロセッサー４０４を含む。また、コンピュータシステム４００は、情報及びプロセッサー４０４により実行される命令を貯蔵するためにバス４０２に連結されたメーンメモリ４０６も含む。メーンメモリ４０６にはランダムアクセスメモリRAMまたは他の動的貯蔵装置が含まれる。メーンメモリ４０６は、さらにプロセッサー４０４によって実行される命令らが実行される途中で一時的数値変数や他の中間情報を貯蔵するために使われる場合もある。
【００４１】
　また、コンピュータシステム４００は、静的情報及びプロセッサー４０４により実行される命令を貯蔵するために、バス４０２に連結された読出し専用メモリ(ROM)４０８または他の静的貯蔵装置をさらに含む。情報及び命令を貯蔵するために、磁気ディスクまたは光学的ディスクのような貯蔵装置４１０が提供されバス４０２に連結される。
【００４２】
　コンピュータシステム４００は、コンピュータ使用者に情報をディスプレーするために、バス４０２を通じて陰極線管CRTのようなディスプレー４１２に連結されうる。アルファベット、数字及び他のキーを含む入力装置４１４が、情報及び選択された命令をプロセッサー４０４に伝送するためにバス４０２に連結されている。他の形態の使用者入力装置はマウス、トラックボールまたはカーソル方向キーのようなカーソル制御器４１６であるが、このようなカーソル制御器４１６は方向情報及び選択された命令をプロセッサー４０４に伝達し、ディスプレー４１２上のカーソルの動きを制御するために使われる。このような入力装置は、典型的に平面上位置を特定できるように第１軸(例えばx軸)及び第２軸(例えばy軸)の二軸の自由度を有する。
【００４３】
　本発明の実施形態は、コンピュータシステム４００をIS６７９応用分野で音声-画像信号の複製防止機能を提供するために使用することに関連がある。本発明の望ましい一実施形態によれば、IS６７９応用分野の音声-画像信号複製防止法は、メモリ４０６に貯蔵された一つまたは二つ以上の命令の一つまたは二つ以上のシーケンスを実行するプロセッサー４０４に応答してコンピュータシステム４００により提供される。このような命令は、貯蔵装置４１０のような他のコンピュータが読出しうる媒体から読出されてメーンメモリ４０６に貯蔵されうる。メーンメモリ４０６内に貯蔵された命令のシーケンスを実行すれば、プロセッサー４０４が命令により指示される工程段階を遂行する。メーンメモリ４０６内に貯蔵された命令のシーケンスを実行するために一つのプロセッサーが使用可能であり、または多重-プロセシング設備内の一つまたは二つ以上のプロセッサーが採択される場合もある。他の実施形態では、本発明の実施形態を実装するためにソフトウェア命令の代りに、またはこれと結合されてハードウェア的に配線された回路が使われうる。したがって、本発明の実施形態はハードウェア回路及びソフトウェアの特定の組合せに限定されるものではない。
【００４４】
　"コンピュータが読出しうる媒体"という言葉は、本明細書では実行するための命令をプロセッサー４０４に提供することに関係する全ての媒体を示している。このような媒体には多くの形態の媒体が含まれうるが、この媒体に限定されるわけではなく、このような媒体中には不揮発性媒体、揮発性媒体及び伝送媒体がある。例えば、不揮発性媒体には貯蔵装置４１０のような光学的または磁気ディスクが含まれる。揮発性媒体にはメーンメモリ４０６のような動的メモリが含まれる。伝送媒体には、バス４０２を構成する電線を含んで同軸ケーブル、銅線及び光繊維などが含まれる。また、伝送媒体は電波通信及び赤外線データ通信中に発生する媒体のような、音響波または光波の形態を有することができる。
【００４５】
　例えば、コンピュータが読出し可能媒体には、フロッピー（登録商標）ディスク、フレキシブルディスク、ハードディスク、磁気テープまたは他の磁気的媒体、CD-ROM、他の光学的媒体、パンチカード、ペーパーテープ、ホールパターンを有する他の物理的媒体、RAM、PROM及びEPROM、フラッシュEPROM、他のメモリチップまたはカートリッジ、後述される搬送波、またはコンピュータが読出しうる他の全ての媒体が含まれる。
【００４６】
　一つまたは二つ以上の命令の一つまたは二つ以上のシーケンスが実行されるようにプロセッサー４０４に運ぶのには、多様な形態のコンピュータが読出し可能媒体が関連されうる。例えば、命令は、最初は遠隔コンピュータの磁気ディスク上で実行されうる。遠隔コンピュータは自分の動的メモリに命令をロードした後この命令をモデムを用いて電話線を通じて伝送できる。コンピュータシステム４００の局部モデムは電話線を通じてこのデータを受信し、赤外線送信器を用いて受信されたデータを赤外線信号に変換できる。バス４０２に連結された赤外線検出器が赤外線信号内に伝送されたデータを受信し、バス４０２上にこのデータを印加できる。バス４０２はこのデータをメーンメモリ４０６に伝送して、この命令をメーンメモリからプロセッサー４０４が取り出し実行するようにする。または、メーンメモリ４０６によって受信された命令は、プロセッサー４０４の命令遂行以前または以後に貯蔵装置４１０に貯蔵されうる。
【００４７】
　コンピュータシステム４００はバス４０２に連結されたインタフェース４１８も含む。通信インタフェース４１８は、地域ネットワーク４２２に連結されたネットワークリンク４２０に両方向データ通信を可能にする。例えば、通信インタフェース４１８は互換される電話線によって、データ通信の接続を可能にする統合サービス・デジタル・ネットワーク(ISDN、Integrated Services Digital Network)カードまたはモデムでありうる。また他の例として、通信インタフェース４１８は相応するローカルエリアネットワーク(LAN、Local Area Network)によって、データ通信の接続を可能にするLANカードでありうる。無線リンクも使われうる。いずれのインタフェース４１８が使用されても、通信インタフェース４１８は多様な種類の情報を示すデジタルデータストリームを運ぶ電気的、電磁気的または光学的信号を伝送及び受信する。
【００４８】
　ネットワークリンク４２０は、典型的に一つまたは二つ以上のネットワークを通じて他のデータサービスとデータ通信を可能にする。例えば、ネットワークリンク４２０は、地域ネットワーク４２２を通じてホストコンピューター４２４またはインターネットサービスプロバイダ(ISP、Internet Service Provider)４２６により作動されるデータ装置に接続できる。インターネットサービスプロバイダは、これに応答して現在通常的に"インターネット４２８"と呼ばれる全世界パケット型データ通信ネットワークを通じてデータ通信サービスを提供する。地域ネットワーク４２２及びインターネット４２８は、全てデジタルデータストリームを運ぶ電気的、電磁気的または光学的信号を使用する。多様なネットワークを通過する信号及びネットワークリンク４２０上の信号及び通信インタフェース４１８を通過する信号は、コンピュータシステム４００から、またはコンピュータシステム４００にデジタルデータを運ぶが、このような信号は情報を伝送する搬送波の例示的な形態である。
【００４９】
　コンピュータシステム４００はネットワーク、ネットワークリンク４２０及び通信インタフェース４１８を通じてメッセージを伝送し、プログラムコードのようなデータを受信することができる。インターネットを例とすれば、サーバ４３０はアプリケーションプログラムで要求するコードをインターネット４２８、インターネットサービスプロバイダ４２６、地域ネットワーク４２２及び通信インタフェース４１８を通じて伝送できる。本発明によれば、このようにダウンロードされたアプリケーションは本明細書で説明されたようにIS６７９応用音声-画像信号の複製防止機能を提供する。
【００５０】
　受信されたコードは受信された瞬間プロセッサー４０４により実行される場合もあり、及び/または後で実行されるために貯蔵装置４１０または他の不揮発性の貯蔵装置に貯蔵される場合もある。この場合に、コンピュータシステム４００は応用コードを搬送波の形態に受信できる。
【００５１】
　前述した詳細な説明で、本発明は特定の実施形態を参照しながら説明された。しかし、本発明の広い思想及び技術範囲から逸脱することなく実施形態に多様な変形をしたり変化を加えうることは明らかなことである。従って、本明細書及び図面は例示的に理解されるべきで、限定的意味で見なされてはいけない。
【産業上の利用可能性】
【００５２】
　本発明に係るデジタル信号の複製防止システム及び方法は、DVD上に配布されたり、ケーブルテレビ、空中波テレビ及びインターネットのような媒体によって配布される音声-画像情報に関する音声-画像情報貯蔵分野に適用されて、情報購入者が単一コピーを購入しいくつかの違法コピーを作って配布することを効果的に防止する。
【図面の簡単な説明】
【００５３】
【図１】IS６７９インタフェースを通じて受信器に連結された交換可能なセキュリティモジュールを使用して音声-画像信号を複製防止するための従来の技術に係る装置を示す図面である。
【図２】本発明の望ましい実施形態に係る交換可能なセキュリティモジュールを使用して音声-画像信号を複製防止するための装置を示す図面である。
【図３】本発明の望ましい第２実施形態に係る装置を示すブロック図である。
【図４】本発明の望ましい実施形態が実施可能なコンピュータシステムのブロック図である。
【符号の説明】
【００５４】
　E1〜EN　エンコーダ
　S1〜SN　スクランブラ
　２１６　デスクランブラ
　２１８　デコーダ
　４０４　プロセッサー
　４０６　メモリ
【図１】
2004007772.tif 000003
【図２】
2004007772.tif 000004
【図３】
2004007772.tif 000005
【図４】
2004007772.tif 000006